(57)【要約】【課題】アセスメント業務またはモニタリング業務を支援する。【解決手段】アセスメント／モニタリング業務支援システムは，集計・分析システム10と携帯端末20を含む。システム10は，要介護者に対して必要性が想定される複数の支援内容項目のそれぞれについて，要介護者のケアプランを作成したときに情報収集をしたかまたはしなかったかの評価を含む，複数のケアマネージャーによって作成される複数の評価シートを表すデータを記憶する評価シートＤＢ13を備えている。携帯端末20の表示画面に，携帯端末20を使用しているケアマネージャーが，他のケアマネージャーと比較したときに相対的に見落としがちな支援内容項目を含むアドバイス情報20Ａが表示される。アドバイス情報20Ａにしたがって聞き取り調査等を行うことによって，その後のケアプランの作成または変更に必要な情報収集忘れを防ぐことができる。【選択図】図１
2020046847.tif 000002
【特許請求の範囲】
【請求項１】
要介護者に対して必要性が想定される複数の支援内容項目のそれぞれについて，要介護者のケアプランを作成したときに情報収集をしたかまたはしなかったかの評価を含む，複数のケアマネージャーによって作成される複数の評価シートを表すデータを記憶する評価シート記憶手段，
上記複数のケアマネージャーが作成した複数の評価シートを表すデータを用いて，上記複数の支援内容項目のそれぞれについて，情報収集をした割合を示す第１の情報収集達成度を算出する第１の情報収集達成度算出手段，
特定のケアマネージャーが作成した一または複数の評価シートを表すデータを用いて，上記複数の支援内容項目のそれぞれについて，情報収集をした割合を示す第２の情報収集達成度を算出する第２の情報収集達成度算出手段，
上記複数の支援内容項目のそれぞれについて，上記第１の情報収集達成度算出手段によって算出された第１の情報収集達成度と上記第２の情報収集達成度算出手段によって算出された第２の情報収集達成度を比較する比較手段，および
上記比較手段によって上記第２の情報収集達成度が上記第１の情報収集達成度よりも低いと判定された一または複数の支援内容項目を提示するアドバイス情報提示手段を備えている，
アセスメント／モニタリング業務支援装置。
【請求項２】
上記評価シートが疾患ごとに作成されるものであり，
特定疾患に関する評価シートが，上記第１の情報収集度算出手段による第１の情報収集達成度の算出，および上記第２の情報収集度算出手段による第２の情報収集達成度の算出に用いられる，
請求項１に記載のアセスメント／モニタリング業務支援装置。
【請求項３】
上記評価シートが要介護者ごとに作成されるものであり，
特定要介護者についての評価シートが，上記第１の情報収集度算出手段による第１の情報収集達成度の算出，および上記第２の情報収集度算出手段による第２の情報収集達成度の算出に用いられる，
請求項１または２に記載のアセスメント／モニタリング業務支援装置。
【請求項４】
要介護者のそれぞれについて，同居者の有無，同居または別居の介護者の有無，および心身の状態を少なくとも含む基本情報確認シートを表すデータを記憶する基本情報記憶手段，ならびに
上記比較手段によって上記第２の情報収集達成度が上記第１の情報収集達成度よりも低いと判定された一または複数の支援内容項目について情報収集をしなかった旨の評価を含む評価シートによって特定される要介護者の基本情報確認シートを表すデータを用いて，上記同居者の有無，同居または別居の介護者の有無，および心身の状態に関する共通点を検出する共通点検出手段をさらに備え，
上記アドバイス情報提示手段は，
上記第２の情報収集達成度が上記第１の情報収集達成度よりも低いと判定された一または複数の支援内容項目に加えて，上記共通点検出手段によって検出された同居者の有無，同居または別居の介護者の有無，および心身の状態に関する共通点を提示するものである，
請求項３に記載のアセスメント／モニタリング業務支援装置。
【請求項５】
要介護者に対して必要性が想定される複数の支援内容項目のそれぞれについて，要介護者のケアプランを作成したときに情報収集をしたかまたはしなかったかの評価を含む，複数のケアマネージャーによって作成される複数の評価シートを表すデータを評価シート記憶手段に記憶しておき，
上記複数のケアマネージャーが作成した複数の評価シートを表すデータを用いて，上記複数の支援内容項目のそれぞれについて，情報収集をした割合を示す第１の情報収集達成度を第１の情報収集達成度算出手段によって算出し，
特定のケアマネージャーが作成した一または複数の評価シートを表すデータを用いて，上記複数の支援内容項目のそれぞれについて，情報収集をした割合を示す第２の情報収集達成度を第２の情報収集達成度算出手段によって算出し，
上記複数の支援内容項目のそれぞれについて，上記第１の情報収集達成度算出手段が算出した第１の情報収集達成度と上記第２の情報収集達成度算出手段が算出した第２の情報収集達成度を比較手段によって比較し，
上記第２の情報収集達成度が上記第１の情報収集達成度よりも低いと判定された一または複数の支援内容項目をアドバイス情報提示手段によって提示する，
アセスメント／モニタリング業務支援装置の制御方法。
【請求項６】
コンピュータに請求項５に記載のアセスメント／モニタリング業務支援装置の制御方法を実行させる，プログラム。
【請求項７】
要介護者に対して必要性が想定される複数の支援内容項目のそれぞれについて，支援内容を見直しが必要かどうかの評価を含む，複数のケアマネージャーによって作成される複数の評価シートを表すデータを記憶する評価シート記憶手段，
上記複数のケアマネージャーが作成した複数の評価シートを表すデータを用いて，上記複数の支援内容項目のそれぞれについて，支援内容の見直しが必要であると評価された割合を示す第１の支援内容見直し度を算出する第１の支援内容見直し度算出手段，
特定のケアマネージャーが作成した一または複数の評価シートを表すデータを用いて，上記複数の支援内容項目のそれぞれについて，支援内容の見直しが必要であると評価された割合を示す第２の支援内容見直し度を算出する第２の支援内容見直し度算出手段，
上記複数の支援内容項目のそれぞれについて，上記第１の支援内容見直し度算出手段によって算出された第１の支援内容見直し度と上記第２の支援内容見直し度算出手段によって算出された第２の支援内容見直し度を比較する比較手段，および
上記比較手段によって上記第２の支援内容見直し度が上記第１の支援内容見直し度よりも高いと判定された一または複数の支援内容項目を提示するアドバイス情報提示手段を備えている，
アセスメント／モニタリング業務支援装置。
【発明の詳細な説明】
【技術分野】
【０００１】
この発明は，介護支援専門員（以下，「ケアマネージャー」と呼ぶ）によって行われる業務，特にアセスメント業務またはモニタリング業務を支援するアセスメント／モニタリング業務支援装置に関する。またこの発明は，アセスメント／モニタリング業務支援装置の制御方法およびそのプログラムに関する。
【背景技術】
【０００２】
ケアマネージャーは，要介護者（要支援者）の相談や心身の状況に応じて要介護者が適切な介護サービス（訪問介護，デイサービスなど）を受けられるようケアプラン（介護サービス等の提供についての計画）の作成や市町村・サービス事業者・施設等との連絡調整を行う。ケアマネージャーの業務は一般には以下の（１）〜（６）に分類される。
【０００３】
（１）アセスメント
要介護者の置かれている状況の把握，生活上の支障・要望などに関する情報の収集，心身機能の低下の背景・要因の分析，解決すべき生活課題（ニーズ）と可能性の把握が行われる。
（２）ケアプラン原案の作成
総合的な援助方針，目標（達成時期等）の設定，目標達成のために必要なサービス種別，回数等の設定など，ケアプランの原案作成が行われる。
（３）サービス担当者会議等
ケアプラン原案に関してサービス提供事業者を含めて専門的な視点で検討調整が行われる。また，多職種間で認識が共有され，要介護者への説明・同意を経てケアプランが決定される。
（４）介護サービスの提供
決定したケアプランにしたがって，食事介助，入浴介助等の具体的な介護サービスが要介護者に対してサービス提供事業者によって行われる。
（５）給付管理
介護保険サービスの利用によって発生する介護給付費の管理が行われる。
（６）モニタリング
介護サービスの提供によって要介護者が自立した生活が送れているのか，短期目標をクリアできているのか等がチェックされる（再アセスメント）。
【０００４】
上記（６）モニタリング（再アセスメント）を終え，短期目標が達成されていれば新たな短期目標が設定されて，新たな短期目標を達成するためのケアプランが新たに作成される。短期目標が達成されていなければ，短期目標が現状と合っているのか，問題点はないのか等が調査され，ケアプランの継続または変更が決定される。上記（２）ケアプラン原案の作成に戻ることになる。
【０００５】
（１）アセスメントまたは（６）モニタリングにおいて，ケアマネージャーは，要介護者の自宅等を訪問し，本人やその家族に会い，話を聞き，ケアプランの作成または変更に必要な情報の収集等を行う。しかしながら，ケアプランの作成または変更に必要な情報等を，要介護者を訪問している短時間のうちに過不足なく収集するのは簡単ではない。
【０００６】
経験豊富なケアマネージャーと経験の浅いケアマネージャーとの間にも，ケアプランの作成または変更に必要な情報等を収集する能力に差が生じる。特に経験の浅いケアマネージャーは要介護者等に確認しておくべき事項の確認忘れが起こりやすい。
【０００７】
特許文献１は，地域包括支援センター，介護事業者，被介護者の家族等，介護に関連するあらゆる団体又は人が介護情報を共有すると共に，この共有された介護情報に基づいて適切な介護サービスを支援する介護支援システム及び介護支援プログラムを提供する。しかしながら，ケアマネージャーによるアセスメント業務またはモニタリング業務を支援するものではない。
【先行技術文献】
【特許文献】
【０００８】
【特許文献１】特開２０１０−２０５２６３号公報
【発明の開示】
【０００９】
この発明は，ケアマネージャーによるアセスメント業務またはモニタリング業務を支援することを目的とする。
【００１０】
この発明はまた，ケアマネージャーによって行われるアセスメント業務またはモニタリング業務において，要介護者を訪問している短時間のうちに過不足なく必要な情報を収集できるようにすることを目的とする。
【００１１】
この発明はさらに，経験の浅いケアマネージャーであっても，要介護者を訪問している短時間のうちに過不足なく必要な情報を収集できるようにすることを目的とする。
【００１２】
この発明によるアセスメント／モニタリング業務支援装置は，要介護者に対して必要性が想定される複数の支援内容項目のそれぞれについて，要介護者のケアプランを作成したときに情報収集をしたかまたはしなかったかの評価を含む，複数のケアマネージャーによって作成される複数の評価シートを表すデータを記憶する評価シート記憶手段，上記複数のケアマネージャーが作成した複数の評価シートを表すデータを用いて，上記複数の支援内容項目のそれぞれについて，情報収集をした割合を示す第１の情報収集達成度を算出する第１の情報収集達成度算出手段，特定のケアマネージャーが作成した一または複数の評価シートを表すデータを用いて，上記複数の支援内容項目のそれぞれについて，情報収集をした割合を示す第２の情報収集達成度を算出する第２の情報収集達成度算出手段，上記複数の支援内容項目のそれぞれについて，上記第１の情報収集達成度算出手段によって算出された第１の情報収集達成度と上記第２の情報収集達成度算出手段によって算出された第２の情報収集達成度を比較する比較手段，および上記比較手段によって上記第２の情報収集達成度が上記第１の情報収集達成度よりも低いと判定された一または複数の支援内容項目を提示するアドバイス情報提示手段を備えている。アドバイス情報提示手段は，典型的には支援内容項目を画面表示するための手段である。
【００１３】
評価シートはケアマネージャーによって作成されるもので，要介護者に対して必要性が想定される複数の支援内容項目が列挙されたものである。列挙される支援内容項目は，たとえば「十分な栄養が確保される環境を整える」，「服薬が必要であることの理解をうながす支援体制を整える」など，包括的な表現による内容であるのが好ましい。評価シートは，上記複数の支援内容項目のそれぞれについて，ケアマネージャーが要介護者のケアプランを作成したときに情報収集をしたかまたはしなかったかの評価を含む。
【００１４】
複数のケアマネージャーが作成した複数の評価シートを表すデータを用いて，複数の支援内容項目のそれぞれについて，情報収集をした割合を示す第１の情報収集達成度が算出される。複数の支援内容項目のそれぞれについて，情報収集をした旨の評価を持つ評価シートの数を評価シート全数によって除算することによって，第１の情報収集達成度は算出される。同様に，特定のケアマネージャーが作成した一または複数の評価シートを表すデータを用いて，複数の支援内容項目のそれぞれについて，情報収集をした割合を示す第２の情報収集達成度を算出される。複数の支援内容項目のそれぞれについて，情報収集をした旨の評価を持つ特定ケアマネージャーが作成した評価シートの数を，その特定のケアマネージャーが作成した評価シート全数によって除算することによって，第２の情報収集達成度は算出される。
【００１５】
この発明によると，第２の情報収集達成度が第１の情報収集達成度よりも低いと判定された一または複数の支援内容項目がアドバイス情報として提示される。すなわち，複数のケアマネージャーの情報収集達成度の平均（第１の情報収集達成度）と比較して，それを下回っている情報収集達成度（第２の情報収集達成度）にとどまっている支援内容項目が指摘されることになる。特定のケアマネージャーに対し，そのケアマネージャーが，相対的に見落としやすい（情報収集を忘れやすい）支援内容項目を知らせることができる。
【００１６】
一実施態様では，上記評価シートが疾患ごとに作成されるものであり，特定疾患に関する評価シートを表すデータが，上記第１の情報収集度算出手段による第１の情報収集達成度の算出，および上記第２の情報収集度算出手段による第２の情報収集達成度の算出に用いられる。評価シートに含まれる複数の支援内容項目に，特定疾患に特有の支援内容項目を含ませることができる。また，特定疾患に特有の見落としやすい支援内容項目を特定のケアマネージャーに対して知らせることができる。
【００１７】
他の実施態様では，上記評価シートが要介護者ごとに作成されるものであり，特定要介護者についての評価シートが，上記第１の情報収集度算出手段による第１の情報収集達成度の算出，および上記第２の情報収集度算出手段による第２の情報収集達成度の算出に用いられる。特定の要介護者に特有の見落としやすい支援内容項目を特定のケアマネージャーに対して知らせることができる。
【００１８】
好ましくは，要介護者のそれぞれについて，同居者の有無，同居または別居の介護者の有無，および心身の状態を少なくとも含む基本情報確認シートを表すデータを記憶する基本情報記憶手段，ならびに上記比較手段によって上記第２の情報収集達成度が上記第１の情報収集達成度よりも低いと判定された一または複数の支援内容項目について情報収集をしなかった旨の評価を含む評価シートによって特定される要介護者の基本情報確認シートを表すデータを用いて，上記同居者の有無，同居または別居の介護者の有無，および心身の状態に関する共通点を検出する共通点検出手段をさらに備え，上記アドバイス情報提示手段は，上記第２の情報収集達成度が上記第１の情報収集達成度よりも低いと判定された一または複数の支援内容項目に加えて，上記共通点検出手段によって検出された同居者の有無，同居または別居の介護者の有無，および心身の状態に関する共通点を提示するものである。第２の情報収集達成度が低い要因が，ケアマネージャーの技量だけではなく，要介護者側に存在することもある。第２の情報収集達成度が第１の情報収集達成度よりも低いと判定された一または複数の支援内容項目について情報収集をしなかった旨の評価を含む評価シートによって特定される要介護者の基本情報確認シートを表すデータを用いて，上記同居者の有無，同居または別居の介護者の有無，および心身の状態に関する共通点を見つけ，見つかった共通点を，第２の情報収集達成度が低い理由（要介護者側の理由）として提示することによって，より充実した情報収集を期待することができる。
【００１９】
評価シートに含ませる評価内容を，複数の支援内容項目のそれぞれについて情報収集をしたかまたはしなかったかの評価とせずに，別の内容とすることもできる。
【００２０】
他の発明によるアセスメント／モニタリング支援業務装置は，要介護者に対して必要性が想定される複数の支援内容項目のそれぞれについて，支援内容を見直しが必要かどうかの評価を含む，複数のケアマネージャーによって作成される複数の評価シートを表すデータを記憶する評価シート記憶手段，上記複数のケアマネージャーが作成した複数の評価シートを表すデータを用いて，上記複数の支援内容項目のそれぞれについて，支援内容の見直しが必要であると評価された割合を示す第１の支援内容見直し度を算出する第１の支援内容見直し度算出手段，特定のケアマネージャーが作成した一または複数の評価シートを表すデータを用いて，上記複数の支援内容項目のそれぞれについて，支援内容の見直しが必要であると評価された割合を示す第２の支援内容見直し度を算出する第２の支援内容見直し度算出手段，上記複数の支援内容項目のそれぞれについて，上記第１の支援内容見直し度算出手段によって算出された第１の支援内容見直し度と上記第２の支援内容見直し度算出手段によって算出された第２の支援内容見直し度を比較する比較手段，および上記比較手段によって上記第２の支援内容見直し度が上記第１の支援内容見直し度よりも高いと判定された一または複数の支援内容項目を提示するアドバイス情報提示手段を備えている。他のケアマネージャーと比べたときに特定のケアマネージャーが支援内容（ケアプラン）を見直すことが多い支援内容項目が提示されることになるので，その特定のケアマネージャーは，提示された支援内容項目について詳細に聞き取り調査等を行うことによって，支援内容（ケアプラン）の見直しを少なくできることが期待される。
【図面の簡単な説明】
【００２１】
【図１】アセスメント／モニタリング業務支援システムの全体構成を示すブロック図である。
【図２】要介護者基本情報確認シートを示す。
【図３】評価シートを示す。
【図４】評価シートの分類例を示す。
【図５】支援内容項目別詳細データベースのデータ内容を示す。
【図６】集計／分析装置の処理を示すフローチャートである。
【図７】携帯端末の表示画面例を示す。
【図８】集計／分析装置の第１処理（処理Ｉ）を示すフローチャートである。
【図９】集計／分析装置の第１処理（処理Ｉ）を示すフローチャートである。
【図１０】第１処理の処理結果（アドバイス情報）を示す。
【図１１】集計／分析装置の第２処理（処理ＩＩ）を示すフローチャートである。
【図１２】集計／分析装置の第２処理（処理ＩＩ）を示すフローチャートである。
【図１３】第２処理の処理結果（アドバイス情報）を示す。
【図１４】集計／分析装置の第３処理（処理ＩＩＩ）を示すフローチャートである。
【図１５】集計／分析装置の第３処理（処理ＩＩＩ）を示すフローチャートである。
【図１６】第３処理の処理結果（アドバイス情報）を示す。
【図１７】集計／分析装置の第４処理（処理ＩＶ）を示すフローチャートである。
【図１８】集計／分析装置の第４処理（処理ＩＶ）を示すフローチャートである。
【図１９】第４処理の処理結果（アドバイス情報）を示す。
【図２０】集計／分析装置の第５処理（処理Ｖ）を示すフローチャートである。
【図２１】集計／分析装置の第５処理（処理Ｖ）を示すフローチャートである。
【図２２】第５処理の処理結果（アドバイス情報）を示す。
【図２３】集計／分析装置の第６処理（処理ＶＩ）を示すフローチャートである。
【図２４】集計／分析装置の第６処理（処理ＶＩ）を示すフローチャートである。
【図２５】第６処理の処理結果（アドバイス情報）を示す。
【図２６】チェック漏れを指摘するアドバイス情報を示す。
【実施例】
【００２２】
図１はアセスメント／モニタリング業務支援システムの全体構成を示すブロック図である。
【００２３】
要介護者に対するケアプランの作成または変更に先立って，ケアマネージャーは，要介護者宅等を訪問し，要介護者が置かれている状況の把握，生活上の支障・要望などに関する情報の収集，心身機能の低下の背景・要因の分析，解決すべき生活課題（ニーズ）と可能性の把握等を行い，ケアプランに基づく介護サービスが提供されている場合であれば，介護サービスの提供によって要介護者が自立した生活が送れているのか，短期目標をクリアできているのか等がチェックされる（アセスメントまたはモニタリング）。アセスメント／モニタリング業務支援システムは，ケアマネージャーによって行われるアセスメントまたはモニタリングの業務を支援するためのシステムである。
【００２４】
アセスメント／モニタリング業務支援システムは，集計・分析システム10と携帯端末（タブレット端末，スマートフォンなど）20を含む。集計・分析システム10はたとえばシステムの運営会社の管理下に置かれる。携帯端末20はケアマネージャーによって携帯され，ケアマネージャーは携帯端末20を携帯して要介護者宅を訪問する。携帯端末20の表示画面には，後述するように，特定のケアマネージャーが見落としがちな支援内容項目（後述する）を含むアドバイス情報20Ａが表示される。アドバイス情報20Ａにしたがって聞き取り調査等を行うことによって，その後のケアプランの作成または変更に必要な情報の見落としを防ぐことができる。また，経験豊富なケアマネージャーと経験の浅いケアマネージャーの情報収集能力のばらつきを縮小することができる。
【００２５】
集計・分析システム10と携帯端末20とはネットワーク，たとえばインターネットによって相互に接続されている。集計・分析システム10において実行される処理の結果が後述するアドバイス情報20Ａであり，アドバイス情報20Ａを表すデータは集計・分析システム10からネットワークを通じて携帯端末20に送信され，その表示画面に表示される。
【００２６】
集計・分析システム10は，集計／分析装置11，要介護者基本情報データベース（ＤＢ）12，評価シートデータベース（ＤＢ）13および支援内容項目別詳細データベース（ＤＢ）14を含む。
【００２７】
集計／分析装置11はコンピュータ装置であり，ＣＰＵ（中央演算処理装置），メモリ，記憶装置，通信装置等を含む。なお，携帯端末20もＣＰＵ（中央演算処理装置），メモリ，記憶装置，通信装置，表示装置等を含むコンピュータ装置である。
【００２８】
集計／分析装置11に接続される記憶装置に，アドバイス情報20Ａの作成に用いられる上述した要介護者基本情報ＤＢ12，評価シートＤＢ13および支援内容項目別詳細ＤＢ14が構築されている。はじめにこれらのＤＢ12〜14を説明する。
【００２９】
（要介護者基本情報ＤＢ12）
図２は要介護者基本情報ＤＢ12に記憶される要介護者基本情報12Ａの入力（登録）に用いられる要介護者基本情報確認シート12Ｂの一例を示している。
【００３０】
要介護者基本情報確認シート12Ｂは要介護者の現在の状況を記入するシートであり，要介護者本人もしくはその家族，またはケアマネージャー等によって，以下の内容が記入される。要介護者基本情報確認シート12Ｂは要介護者ごとに作成され，図２は，要介護者ごとに採番される識別番号（要介護者番号）が「１２３４５」，氏名が「総研太郎」，疾患が「大腿骨頸部骨折Ｉ期」（「Ｉ期」は退院後３カ月までを意味する）である要介護者についての要介護者基本情報確認シート12Ｂを例示している。
【００３１】
（０）サービス区分
要介護者が利用しているサービス区分がチェックされる。
（１）利用者の基本属性等
要介護者（利用者）の年齢，性別，同居・独居の区別，家族等介護者の有無，所得階層，および併用サービスがチェックまたは記入される。
（２）要介護度，ＡＤＬ（Activity of Daily Living），ＩＡＤＬ（Instrumental Activity of Daily Living）等
要介護度，認知症の程度，障害高齢者の日常生活自立度，主たる原因疾患等，配慮が必要な服薬等，ケアプランの作成時点に認められた心身の状態，ケアプラン作成時点で必要とされた医療的ケア，介護認定審査会として付する主治医意見書等で指定されているサービス，ＡＤＬおよびＩＡＤＬがチェックまたは記入される。
（３）ケアマネジメントの状況
使用したアセスメントツール，過去１年間のモニタリング実施状況，当ケースの難易度の自己評価，当ケースのケアマネジメントについての自己評価，当該プラン作成時に重視したがチェックまたは記入される。
（４）サービスの利用実績と妥当性
図２において図示は省略するが，訪問介護（身体），訪問介護（生活），予防訪問介護，訪問入浴介護，訪問看護，訪問リハビリテーション等の利用頻度が記入される。
【００３２】
要介護者基本情報ＤＢ12には，要介護者基本情報確認シート12Ｂの記入内容を表す要介護者基本情報12Ａが記憶される。たとえば，要介護者基本情報ＤＢ12に複数のレコードが作成され，１レコードごとに，特定の要介護者の要介護者基本情報確認シート12Ｂの記入内容（要介護者基本情報12Ａ）がデータ入力（登録）される。
【００３３】
（評価シートＤＢ13）
図３は，評価シートＤＢ13に記憶される評価シート・データ13Ａの入力（登録）に用いられる評価シート13Ｂの一例を示している。
【００３４】
評価シート13Ｂは特定要介護者に対してケアプランを作成したケアマネージャーが，そのケアプランにしたがう介護サービスが特定要介護者に対して提供された後に記入するシート（振り返りシート）である。たとえば，定期的に行われるケアマネージャーに対する研修時に，ケアマネージャーが過去に作成したケアプランおよびその後に行われた介護サービスを振り返りながら，ケアマネージャーは複数の評価シート13Ｂを作成する。図３に示す評価シート13Ｂは，ケアマネージャーごとに採番される識別番号（ケアマネージャー番号）が「５４３２１」のケアマネージャーが作成したもので，「大腿骨頸部骨折Ｉ期」を患っている要介護者番号が「１２３４５」（総研太郎）の要介護者に対するものを例示している。
【００３５】
評価シート13Ｂには，特定疾患に対する支援の必要性が想定される複数の「支援内容項目」が整理されている。図３に示す「大腿骨頸部骨折Ｉ期」についての評価シート13Ｂには，１〜１８の合計１８の支援内容項目が文章によって記載されている。評価シート13Ｂでは，この支援内容項目のそれぞれについて，（１）情報収集をしたかどうか（「情報収集」），（２）支援の必要性があると考えたかどうか（「支援の必要性」），（３）支援の必要がないと判断した場合の理由，（４）支援内容を位置づけているかどうか（支援内容をケアプランに盛り込んでいるかどうか）（「支援内容の位置づけ」），（５）支援内容を位置付けているときの具体的な支援内容，（６）上記具体的な支援内容について見直しが必要と考えるかどうか（「支援の見直しの必要性」）および支援の見直しが必要と考える場合の具体的な支援内容が，それぞれケアマネージャーによって記入される。
【００３６】
上述のように，評価シート13Ｂは特定疾患ごとに作成されるもので，特定疾患が異なれば「支援内容項目」の数および内容は異なるものになる。他方，支援内容項目ごとの記入内容（上記（１）〜（６））はすべての特定疾患の評価シートに共通である。たとえば，「大腿骨頸部骨折Ｉ期」の外に，「大腿骨頸部骨折II期」（「II期」は退院後４カ月以降を意味する），「脳血管疾患Ｉ期」，「脳血管疾患II期」，その他の特定疾患について，それぞれ，独自の支援内容項目を含む評価シートが作成される。
【００３７】
評価シート13Ｂ中の「支援内容項目」のそれぞれは，他の専門職，本人または家族等に依頼すべき要介護者に対する支援内容を，優れたケアマネージャーが有する知識と経験とに裏付けられた視点から文章化したものである。「大腿骨頸部骨折Ｉ期」の疾患を持つ被介護者に対して，１〜１８の支援内容項目に着目して情報収集等を行うことで，経験の浅いケアマネージャーであっても，大腿骨頸部骨折Ｉ期を患っている要介護者に対する適切なケアプランを作成するために必要な情報を，過不足なく収集することができる。
【００３８】
評価シートＤＢ13には，多数のケアマネージャーが作成した，多数の要介護者に対する，様々な疾患に関する評価シートの記入内容を表す評価シート・データ13Ａが記憶される。評価シートＤＢ13においても，たとえば複数のレコードが作成され，１レコードごとに，１つの評価シート13Ｂの記入内容（評価シート・データ13Ａ）がデータ入力（登録）される。
【００３９】
図４は評価シート13Ｂ（評価シート・データ13Ａ）の分類例を示している。
【００４０】
評価シート13Ｂは，上述したようにケアマネージャーが作成するもので，作成したケアマネージャーを識別するデータ（たとえば上述したケアマネージャー番号）が付随する。このため，多数の評価シート13Ｂは評価シート13Ｂを作成したケアマネージャーによって分類することができる。
【００４１】
また，上述したように，評価シート13Ｂは疾患ごとに作成されるものであるから，疾患によって評価シート13Ｂを分類することもできる。
【００４２】
さらに，評価シート13Ｂは特定の要介護者ごとに作成されるものであり，要介護者を特定するデータ（たとえば要介護者番号）が付随する。したがって多数の評価シート13Ｂは要介護者によって分類することもできる。
【００４３】
（支援内容項目別詳細ＤＢ14）
図５は支援内容項目別詳細ＤＢ14の内容を示している。
【００４４】
支援内容項目別詳細ＤＢ14には，上述した評価シート13Ｂ（図３）に含まれる複数の支援内容項目のそれぞれについて，「相談すべき専門職」および「確認すべきアセスメント項目」を格納した詳細データが記憶される。図５は，上述した「大腿骨頸部骨折Ｉ期」の評価シート13Ｂに含まれる１〜１８の支援内容項目のそれぞれについての詳細データを示している。
【００４５】
図３の評価シート13Ｂに示すように，「大腿骨頸部骨折Ｉ期」の特定疾患については，１〜１８の１８の支援内容項目が規定されている。たとえば「１  転倒した状況や要因の継続的な把握・評価を確認する体制を整える」の支援内容項目について，支援内容項目別詳細ＤＢ14には，相談すべき専門職として「かかりつけ医，ＰＴ／ＯＴ／ＳＴ，介護職，介護支援専門員」があらかじめ登録（記憶）され（ＰＴは理学療法士，ＯＴは作業療法士，ＳＴは言語聴覚療法士），確認すべきアセスメント項目として「転倒状況の確認，過去の転倒暦・状況の確認，住環境の確認，本人の身体能力の確認」があらかじめ登録されている。支援内容項目別詳細ＤＢ14に登録されている支援内容項目ごとの詳細データも，後述するように，携帯端末20の表示画面に表示されるアドバイス情報20Ａの一部として用いられる。
【００４６】
上述した要介護者基本情報ＤＢ12，評価シートＤＢ13および支援内容項目別詳細ＤＢ14が用いられて，集計／分析装置11によってアドバイス情報20Ａが作成される。以下，集計／分析装置11によって実行されるアドバイス情報20Ａの作成処理を詳細に説明する。
【００４７】
図６〜図２５は集計／分析装置11によるアドバイス情報の作成処理を示すフローチャートおよびアドバイス情報を示している。
【００４８】
（初期処理）（図６〜図７）
はじめに図７を参照して，携帯端末20の表示画面に，ケアマネ番号入力欄20ａおよび要介護者番号入力欄20ｂが表示される。ケアマネージャーは，これらの入力欄20ａ，20ｂに，ケアマネージャー識別番号（自分の識別番号）（ケアマネＮｏ．）およびこれからアセスメントまたはモニタリングを行おうとしている要介護者の識別番号（要介護者Ｎｏ．）を入力する。図６を参照して，入力されたケアマネージャー番号および要介護者番号は，携帯端末20から集計／分析装置11に送信され，集計／分析装置11によって受信される（ステップ41）。集計／分析装置11は，受信した要介護者識別番号によって特定される要介護者基本情報12Ａを要介護者基本情報ＤＢ12からメモリに読出す（ステップ42）。再び図７を参照して，メモリに読み出された要介護者基本情報12Ａに含まれる要介護者の氏名および疾患名が，携帯端末20に送信されて携帯端末20の表示画面の表示欄20ｃに表示される。
【００４９】
集計／分析装置11は，以下に説明する処理Ｉ〜処理ＶＩの６つの処理を行い，６つの処理のそれぞれについての処理結果（アドバイス情報）を携帯端末20に送信することができる。６つの処理はそのすべてを実行する必要は必ずしもなく，いずれか一つまたは複数を行うようにしてもよい。
【００５０】
処理Ｉ（図８〜図１０）
図８を参照して，ステップ41において特定された要介護者が患っている疾患（期間を含む）と同一疾患に関する評価シート・データ13Ａが評価シートＤＢ13からメモリに読み出される（ステップ51）。多数の様々なケアマネージャーが作成した，特定疾患に関する複数の評価シート・データ13Ａがメモリに読み出される。
【００５１】
メモリに読み出された特定疾患に関する評価シート・データ13Ａが用いられて，支援内容項目のそれぞれについて，「情報収集」に「○」が記入されているシート数がカウントされる。そして，支援項目内容のそれぞれについてのカウント数が，メモリに読み出された評価シート・データ数（評価シートＤＢ13に記憶されている特定疾患に関する評価シート・データ13Ａの総数）によって除算されて１００が乗算される。「情報収集」が「○」である支援内容項目は，ケアプランが作成されたときに情報収集が行われた支援内容項目を意味する。ここで算出される値を「特定疾患情報収集達成度（全ケアマネ）」と呼ぶ。特定疾患の支援内容項目のそれぞれについて，特定疾患情報収集達成度の平均値（割合）が算出されることになる（ステップ52）。
【００５２】
次に，ステップ41において入力されたケアマネージャー番号が付随する特定疾患に関する評価シート・データ14Ａ，すなわち携帯端末20を利用している特定のケアマネージャーが作成した特定疾患に関する評価シート・データ14Ａが，メモリに読み出されている多数の様々なケアマネージャーが作成した特定疾患に関する評価シート・データ14Ａの中から抽出される（ステップ53）。
【００５３】
特定ケアマネージャーが作成した特定疾患に関する評価シート・データ14Ａが用いられて，上述と同様に，支援内容項目のそれぞれについて，「情報収集」に「○」が記入されているシート数がカウントされ，そのカウント数が，抽出された特定ケアマネージャーが作成した特定疾患に関する評価シート数によって除算されて１００が乗算される。ここで算出される値を「特定疾患情報収集達成度（特定ケアマネ）」と呼ぶ。特定疾患の支援内容項目のそれぞれについて，特定ケアマネージャーの特定疾患情報収集達成度が算出される（ステップ54）。
【００５４】
図９を参照して，特定疾患情報収集達成度（特定ケアマネ）が，特定疾患情報収集達成度（全ケアマネ）を下回っている支援内容項目があるかどうかが判定される（ステップ55）。すなわち，他の多数のケアマネージャーと比較したときに，特定ケアマネージャーの特定疾患情報収集達成度が相対的に低い支援内容項目，すなわち特定ケアマネージャーが特定疾患について情報収集を見落としがちな支援内容項目があるかどうかが判断される。
【００５５】
特定ケアマネージャーの特定疾患情報収集達成度が相対的に低い支援内容項目がある場合，その支援内容項目についてのアドバイス情報が作成されて，携帯端末20に送信される（ステップ55でYES ，ステップ56）。特定ケアマネージャーの特定疾患情報収集達成度が相対的に低い支援内容項目がなければ，集計／分析装置11は特段の処理を行わない（ステップ55でNO）。
【００５６】
図１０は，ステップ56において集計／分析装置11によって作成され，携帯端末20の表示画面に表示されるアドバイス情報20ｄを示している。
【００５７】
アドバイス情報20ｄには，特定ケアマネージャーの特定疾患情報収集達成度が相対的に低い支援内容項目が指摘されるとともに，その支援内容項目について具体的に確認すべきアセスメント項目，および相談すべき専門職が表示される。アセスメント項目および専門職の表示に，上述した支援内容項目別詳細ＤＢ14（図５）において支援内容項目のそれぞれに対応して記憶されているデータが用いられる。
【００５８】
アドバイス情報20ｄには，このように，要介護者に対してアセスメントまたはモニタリングを行ない，ケアプランを作成または変更しようとしている特定のケアマネージャーが見落としやすい支援内容項目が示されるとともに，さらにその支援内容項目に関して要介護者やその家族等に確認しておくべき具体的なアセスメント項目，さらには必要に応じて相談すべき専門家の種別が示される。ケアプランの作成または変更に必要な情報であって，かつこれからアセスメントまたはモニタリングを行おうとしているケアマネージャーに特有の，見落としやすい支援内容項目が示されるので，たとえ経験の浅いケアマネージャーであっても，短時間のうちに過不足なく情報収集するための有用なアドバイスを得ることができる。
【００５９】
処理ＩＩ（図１１〜図１３）
図１１を参照して，ステップ41において特定された要介護者が患っている疾患（期間を含む）と同一疾患に関する評価シート・データ13Ａが評価シートＤＢ13からメモリに読み出される（ステップ61）。
【００６０】
メモリに読み出された特定疾患に関する評価シート・データが用いられて，支援内容項目のそれぞれについて，「支援内容の位置づけ」が「○」かつ「支援の見直しの必要性」が「○」であるシート数がカウントされる。そして，支援内容項目のそれぞれについてのカウント数がメモリに読み出された評価シート・データ数（評価シートＤＢ13に記憶されている特定疾患に関する評価シートの総数）によって除算されて１００が乗算される。「支援内容の位置づけ」が「○」かつ「支援の見直しの必要性」が「○」である支援内容項目は，ケアプランの見直しを行うべきとケアマネージャーが考えた支援内容項目を意味する。ここで算出される値を「特定疾患ケアプラン見直し度（全ケアマネ）」と呼ぶ。特定疾患の支援内容項目のそれぞれについて，特定疾患ケアプラン見直し度の平均値（割合）が算出されることになる（ステップ62）。
【００６１】
次に，携帯端末20を利用している特定のケアマネージャーが作成した特定疾患に関する評価シート・データ14Ａが，メモリに読み出されている多数の様々なケアマネージャーが作成した特定疾患に関する評価シート・データ14Ａの中から抽出される（ステップ63）。
【００６２】
特定ケアマネージャーが作成した特定疾患に関する評価シート・データ14Ａが用いられて，上述と同様に，支援内容項目のそれぞれについて，「支援内容の位置づけ」が「○」かつ「支援の見直しの必要性」が「○」であるシート数がカウントされ，そのカウント数が，抽出された特定ケアマネージャーが作成した特定疾患に関する評価シート数によって除算されて１００が乗算される。ここで算出される値を「特定疾患ケアプラン見直し度（特定ケアマネ）」と呼ぶ。特定疾患の支援内容項目のそれぞれについて，特定ケアマネージャーの特定疾患ケアプラン見直し度が算出される（ステップ64）。
【００６３】
図１２を参照して，特定疾患ケアプラン見直し度（特定ケアマネ）が，特定疾患ケアプラン見直し度（全ケアマネ）を上回っている支援内容項目があるかどうかが判断される（ステップ65）。すなわち，他の多数のケアマネージャーと比較したときに，特定ケアマネージャーの特定疾患ケアプラン見直し度が相対的に高い支援内容項目（他の多数のケアマネージャーと比較して，特定ケアマネージャーがケアプランを見直しすべきと考える頻度が多い支援内容項目）があるかどうかが判断される。
【００６４】
特定ケアマネージャーの特定疾患ケアプラン見直し度が相対的に高い支援内容項目がある場合，その支援内容項目についてのアドバイス情報が作成されて，携帯端末20に送信される（ステップ65でYES ，ステップ66）。特定ケアマネージャーの特定疾患ケアプラン見直し度が相対的に高い支援内容項目がなければ，集計／分析装置11は特段の処理を行わない（ステップ65でNO）。
【００６５】
図１３は，ステップ65において集計／分析装置11によって作成され，携帯端末20の表示画面に表示されるアドバイス情報20ｅを示している。
【００６６】
アドバイス情報20ｅには，携帯端末20を操作している特定ケアマネージャーの特定疾患ケアプラン見直し度が相対的に高い支援内容項目が指摘されるとともに，その支援内容項目について具体的に確認すべきアセスメント項目，および相談すべき専門職が表示される。特定疾患について，ケアプランの見直しを必要としない程度の情報収集が行われることが期待される。
【００６７】
処理ＩＩＩ（図１４〜図１６）
図１４を参照して，ステップ41において特定された要介護者の評価シート・データ13Ａが評価シートＤＢ13からメモリに読み出される（ステップ71）。上述した処理Ｉおよび処理ＩＩと異なり，処理ＩＩＩでは特定疾患による絞り込みは行われない。要介護者が複数の疾患を患っていれば，その複数の疾患のそれぞれについての評価シート・データ13Ａがメモリに読み出されることになる。
【００６８】
メモリに読み出された特定要介護者についての評価シート・データ13Ａが用いられて，支援内容項目のそれぞれについて，「情報収集」に「○」が記入されているシート数がカウントされる。そして，カウント数がメモリに読み出された評価シート・データ数（評価シートＤＢ13に記憶されている特定疾患に関する評価シートの総数）によって除算されて１００が乗算される。ここで算出される値を「特定要介護者情報収集達成度（全ケアマネ）」と呼ぶ。様々な疾患の支援内容項目のそれぞれについて，特定要介護者情報収集達成度の平均値が算出されることになる（ステップ72）。
【００６９】
次に，携帯端末20を利用している特定のケアマネージャーが作成した特定要介護者についての評価シート・データ14Ａが，メモリに読み出されている多数のケアマネージャーが作成した特定要介護者についての評価シート・データ14Ａの中から抽出される（ステップ73）。
【００７０】
特定ケアマネージャーが作成した特定要介護者についての評価シート・データ14Ａが用いられて，上述と同様に，支援内容項目のそれぞれについて，「情報収集」に「○」が記入されているシート数がカウントされ，そのカウント数が，抽出された特定ケアマネージャーが作成した特定要介護者についての評価シート数によって除算されて１００が乗算される。ここで算出される値を「特定要介護者情報収集達成度（特定ケアマネ）」と呼ぶ。特定要介護の支援内容項目のそれぞれについて，特定ケアマネージャーの特定要介護者情報収集達成度が算出される（ステップ74）。
【００７１】
図１５を参照して，特定要介護者情報収集達成度（特定ケアマネ）が，特定要介護者情報収集達成度（全ケアマネ）を下回っている支援内容項目があるかどうかが判断される（ステップ75）。すなわち，他の多数のケアマネージャーと比較したときに，特定ケアマネージャーの特定要介護者情報収集達成度が相対的に低い支援内容項目，すなわち特定ケアマネージャーが特定の要介護者について情報収集を見落としがちな支援内容項目があるかどうかが判断される。
【００７２】
特定ケアマネージャーの特定要介護者情報収集達成度が相対的に低い支援内容項目がある場合，その支援内容項目についてのアドバイス情報が作成されて，携帯端末20に送信される（ステップ75でYES ，ステップ76）。特定ケアマネージャーの特定要介護者情報収集達成度が相対的に低い支援内容項目がなければ，集計／分析装置11は特段の処理を行わない（ステップ75でNO）。
【００７３】
図１６は，ステップ76において集計／分析装置11によって作成され，携帯端末20の表示画面に表示されるアドバイス情報20ｆを示している。
【００７４】
アドバイス情報20ｆには，特定ケアマネージャーの特定要介護者情報収集達成度が相対的に低い支援内容項目が指摘されるとともに，その支援内容項目について具体的に確認すべきアセスメント項目，および相談すべき専門職が表示される。特定ケアマネージャーが，特定要介護者について見落としがちな支援内容項目が示されるので，特定要介護者について短時間のうちに過不足なく必要な情報を収集するために有用なアドバイスを得ることができる。
【００７５】
処理ＩＶ（図１７〜図１９）
図１７を参照して，ステップ41において特定された要介護者についての評価シート・データ13Ａが評価シートＤＢ13からメモリに読み出される（ステップ81）。処理ＩＩＩと同様に，処置ＩＶにおいても疾患による絞り込みは行われない。
【００７６】
メモリに読み出された特定要介護者についての評価シート・データが用いられて，支援内容項目のそれぞれについて，「支援内容の位置づけ」が「○」かつ「支援の見直しの必要性」が「○」であるシート数がカウントされる。そして，カウント数がメモリに読み出された評価シート・データ数（評価シートＤＢ13に記憶されている特定要介護者についての評価シートの総数）によって除算されて１００が乗算される。ここで算出される値を「特定要介護者ケアプラン見直し度（全ケアマネ）」と呼ぶ。特定要介護者の支援内容項目のそれぞれについて，特定要介護者ケアプラン見直し度の平均値が算出されることになる（ステップ82）。
【００７７】
次に，携帯端末20を利用している特定のケアマネージャーが作成した特定要介護者についての評価シート・データ14Ａが，メモリに読み出されている多数の様々なケアマネージャーが作成した特定要介護者についての評価シート・データ14Ａの中から抽出される（ステップ83）。
【００７８】
特定ケアマネージャーが作成した特定要介護者についての評価シート・データ14Ａが用いられて，上述と同様に，支援内容項目のそれぞれについて，「支援内容の位置づけ」が「○」かつ「支援の見直しの必要性」が「○」であるシート数がカウントされ，そのカウント数が，抽出された特定ケアマネージャーが作成した特定要介護者についての評価シート数によって除算されて１００が乗算される。ここで算出される値を「特定要介護者ケアプラン見直し度（特定ケアマネ）」と呼ぶ。特定要介護者の支援内容項目のそれぞれについて，特定ケアマネージャーの特定要介護者ケアプラン見直し度が算出される（ステップ84）。
【００７９】
図１８を参照して，特定要介護者ケアプラン見直し度（特定ケアマネ）が，特定要介護者ケアプラン見直し度（全ケアマネ）を上回っている支援内容項目があるかどうかが判断される（ステップ65）。すなわち，他の多数のケアマネージャーと比較したときに，特定ケアマネージャーの特定要介護者ケアプラン見直し度が相対的に高い（見直しすべきと考える頻度が多い）支援内容項目があるかどうかが判断される。
【００８０】
特定ケアマネージャーの特定要介護者ケアプラン見直し度が相対的に高い支援内容項目がある場合，その支援内容項目についてのアドバイス情報が作成されて，携帯端末20に送信される（ステップ85でYES ，ステップ86）。特定ケアマネージャーの特定要介護者ケアプラン見直し度が相対的に高い支援内容項目がなければ，集計／分析装置11は特段の処理を行わない（ステップ85でNO）。
【００８１】
図１９は，ステップ85において集計／分析装置11によって作成され，携帯端末20の表示画面に表示されるアドバイス情報20ｇを示している。
【００８２】
アドバイス情報20ｇには，携帯端末20を操作している特定ケアマネージャーの特定要介護者ケアプラン見直し度が相対的に高い支援項目内容が指摘されるとともに，その支援内容項目について具体的に確認すべきアセスメント項目，および相談すべき専門職が表示される。特定要介護者についてケアプランの見直しを必要としない程度の情報収集が行われることが期待される。
【００８３】
処理Ｖ（図２０〜図２２）
処理Ｖは，上述した処理ＩＩＩと同一処理（ステップ71〜75）を含むので，同一処理には同一符号を付し，重複した詳細な説明を省略する。
【００８４】
ステップ71〜75の処理によって，特定ケアマネージャーの特定要介護者情報収集達成度が相対的に低い支援内容項目が見つけられる。図２１を参照して，集計／分析装置11は，見つけられた支援内容項目について，「情報収集」が「×」である評価シート・データ14Ａによって特定される要介護者の要介護者基本情報12Ａを，要介護者基本情報ＤＢ12から読み出す処理を実行する（ステップ91）。
【００８５】
さらに集計／分析装置11は，ステップ91において要介護者基本情報ＤＢ12から読み出された要介護者基本情報12Ａにおける共通点を見つけ，見つかった共通点を含めて，特定ケアマネージャーの特定要介護者情報収集達成度が相対的に低い支援内容項目についてのアドバイス情報を作成し，携帯端末20に送信する（ステップ92，93）。
【００８６】
図２２は，ステップ93において集計／分析装置11によって作成され，携帯端末20の表示画面に表示されるアドバイス情報20ｈを示している。
【００８７】
アドバイス情報20ｈには，上述したステップ91〜92の処理によって見つかった要介護者基本情報12Ａにおける共通点が示される。図２２に示すアドバイス情報20ｈにおいて，「「(4)家族等要介護の有無」が「(i)同居の配偶者がいない」かつ「(ii)同居の子がいない」，「（12）心身の状態」が「12．ＡＤＬの急激な低下」」の部分（図２の要介護者基本情報確認シート12Ｂも参照）が共通点を示している。情報収集が不足することについて，要介護者側の要因が示されるので，より適切な情報収集が行われることが期待される。
【００８８】
処理ＶＩ（図２３〜図２５）
処理ＶＩは，上述した処理ＩＶと同一処理（ステップ81〜85）を含むので，同一処理には同一符号を付し，重複した詳細な説明を省略する。
【００８９】
ステップ81〜85の処理によって，特定ケアマネージャーの特定要介護者ケアプラン見直し度が相対的に高い支援内容項目が見つけられる。図２４を参照して，集計／分析装置11は，見つけられた支援内容項目について，「支援内容の位置づけ」が「○」かつ「支援の見直しの必要性」が「○」である評価シート・データ14によって特定される要介護者の要介護者基本情報12Ａを，要介護者基本情報ＤＢ12から読み出す処理を実行する（ステップ95）。
【００９０】
さらに集計／分析装置11は，ステップ95において要介護者基本情報ＤＢ12から読み出された要介護者基本情報12Ａにおける共通点を見つけ，見つかった共通点を含めて，特定ケアマネージャーの特定要介護者ケアプラン見直し度が相対的に低い支援内容項目についてのアドバイス情報を作成し，携帯端末20に送信する（ステップ96，97）。
【００９１】
図２５は，ステップ97において集計／分析装置11によって作成され，携帯端末20の表示画面に表示されるアドバイス情報20ｉを示している。図２５のアドバイス情報20ｉにおいて，「「(12)心身の状態」が「16．認知症によるＢＰＳＤ」」の部分（図２の要介護者基本情報確認シート12Ｂも参照）が共通点を示している。ケアプランが見直されることについて，要介護者側の要因が示されるので，より適切な情報収集が行われることが期待される。
【００９２】
上述した集計／分析装置11の処理は，アセスメントまたはモニタリング業務を行う前準備に適している。携帯端末20に表示されるアドバイス情報に注意してアセスメントまたはモニタリングを行うことで，ケアプランの作成または変更に必要な情報の収集し忘れを防ぐことができ，また高い頻度のケアプランの見直しを防止することができる。また，情報収集不足やケアプランの見直しについて，要介護者側の要因も示されるので，より効率的なアセスメントまたはモニタリング業務が期待される。
【００９３】
アセスメントまたはモニタリング業務を終了する直前にも，情報収集の忘れがないかどうかについての注意を喚起するようにしてもよい。たとえば，複数の支援内容項目のうち，情報収集を終えた支援内容項目をチェックするための画面を携帯端末20に表示し，情報収集を終えた支援内容項目についてケアマネージャーがチェックするようにする。そして，アセスメントまたはモニタリング業務を終了しようとするときに，チェック漏れの支援内容項目を指摘するようにしてもよい。図２６は，チェック漏れがあるときに携帯端末20の表示画面に表示されるアドバイス情報20ｊの一例を示している。
【符号の説明】
【００９４】
10  集計・分析システム
11  集計／分析装置
12  要介護者基本情報データベース
12Ｂ  要介護者基本情報確認シート
13  評価シートデータベース
13Ｂ  評価シート
14  支援内容項目別詳細データベース
20  携帯端末
【図１】
2020046847.tif 000003
【図２】
2020046847.tif 000004
【図３】
2020046847.tif 000005
【図４】
2020046847.tif 000006
【図５】
2020046847.tif 000007
【図６】
2020046847.tif 000008
【図７】
2020046847.tif 000009
【図８】
2020046847.tif 000010
【図９】
2020046847.tif 000011
【図１０】
2020046847.tif 000012
【図１１】
2020046847.tif 000013
【図１２】
2020046847.tif 000014
【図１３】
2020046847.tif 000015
【図１４】
2020046847.tif 000016
【図１５】
2020046847.tif 000017
【図１６】
2020046847.tif 000018
【図１７】
2020046847.tif 000019
【図１８】
2020046847.tif 000020
【図１９】
2020046847.tif 000021
【図２０】
2020046847.tif 000022
【図２１】
2020046847.tif 000023
【図２２】
2020046847.tif 000024
【図２３】
2020046847.tif 000025
【図２４】
2020046847.tif 000026
【図２５】
2020046847.tif 000027
【図２６】
2020046847.tif 000028
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
要介護者に対して必要性が想定される複数の支援内容項目のそれぞれについて，要介護者のケアプランを作成したときに情報収集をしたかまたはしなかったかの評価を含む，複数のケアマネージャーによって作成される複数の評価シートを表すデータを記憶する評価シート記憶手段，
上記複数のケアマネージャーが作成した複数の評価シートを表すデータを用いて，上記複数の支援内容項目のそれぞれについて，情報収集をした割合を示す第１の情報収集達成度を算出する第１の情報収集達成度算出手段，
特定のケアマネージャーが作成した一または複数の評価シートを表すデータを用いて，上記複数の支援内容項目のそれぞれについて，情報収集をした割合を示す第２の情報収集達成度を算出する第２の情報収集達成度算出手段，
上記複数の支援内容項目のそれぞれについて，上記第１の情報収集達成度算出手段によって算出された第１の情報収集達成度と上記第２の情報収集達成度算出手段によって算出された第２の情報収集達成度を比較する比較手段，および
上記比較手段によって上記第２の情報収集達成度が上記第１の情報収集達成度よりも低いと判定された一または複数の支援内容項目を提示するアドバイス情報提示手段を備えている，
アセスメント／モニタリング業務支援装置。
【請求項２】
上記評価シートが疾患ごとに作成されるものであり，
特定疾患に関する評価シートが，上記第１の情報収集達成度算出手段による第１の情報収集達成度の算出，および上記第２の情報収集達成度算出手段による第２の情報収集達成度の算出に用いられる，
請求項１に記載のアセスメント／モニタリング業務支援装置。
【請求項３】
上記評価シートが要介護者ごとに作成されるものであり，
特定要介護者についての評価シートが，上記第１の情報収集達成度算出手段による第１の情報収集達成度の算出，および上記第２の情報収集達成度算出手段による第２の情報収集達成度の算出に用いられる，
請求項１または２に記載のアセスメント／モニタリング業務支援装置。
【請求項４】
要介護者のそれぞれについて，同居者の有無，同居または別居の介護者の有無，および心身の状態を少なくとも含む基本情報確認シートを表すデータを記憶する基本情報記憶手段，ならびに
上記比較手段によって上記第２の情報収集達成度が上記第１の情報収集達成度よりも低いと判定された一または複数の支援内容項目について情報収集をしなかった旨の評価を含む評価シートによって特定される要介護者の基本情報確認シートを表すデータを用いて，上記同居者の有無，同居または別居の介護者の有無，および心身の状態に関する共通点を検出する共通点検出手段をさらに備え，
上記アドバイス情報提示手段は，
上記第２の情報収集達成度が上記第１の情報収集達成度よりも低いと判定された一または複数の支援内容項目に加えて，上記共通点検出手段によって検出された同居者の有無，同居または別居の介護者の有無，および心身の状態に関する共通点を提示するものである，
請求項３に記載のアセスメント／モニタリング業務支援装置。
【請求項５】
要介護者に対して必要性が想定される複数の支援内容項目のそれぞれについて，要介護者のケアプランを作成したときに情報収集をしたかまたはしなかったかの評価を含む，複数のケアマネージャーによって作成される複数の評価シートを表すデータを評価シート記憶手段に記憶しておき，
上記複数のケアマネージャーが作成した複数の評価シートを表すデータを用いて，上記複数の支援内容項目のそれぞれについて，情報収集をした割合を示す第１の情報収集達成度を第１の情報収集達成度算出手段によって算出し，
特定のケアマネージャーが作成した一または複数の評価シートを表すデータを用いて，上記複数の支援内容項目のそれぞれについて，情報収集をした割合を示す第２の情報収集達成度を第２の情報収集達成度算出手段によって算出し，
上記複数の支援内容項目のそれぞれについて，上記第１の情報収集達成度算出手段が算出した第１の情報収集達成度と上記第２の情報収集達成度算出手段が算出した第２の情報収集達成度を比較手段によって比較し，
上記第２の情報収集達成度が上記第１の情報収集達成度よりも低いと判定された一または複数の支援内容項目をアドバイス情報提示手段によって提示する，
アセスメント／モニタリング業務支援装置の制御方法。
【請求項６】
コンピュータに請求項５に記載のアセスメント／モニタリング業務支援装置の制御方法を実行させる，プログラム。
【請求項７】
要介護者に対して必要性が想定される複数の支援内容項目のそれぞれについて，支援内容を見直しが必要かどうかの評価を含む，複数のケアマネージャーによって作成される複数の評価シートを表すデータを記憶する評価シート記憶手段，
上記複数のケアマネージャーが作成した複数の評価シートを表すデータを用いて，上記複数の支援内容項目のそれぞれについて，支援内容の見直しが必要であると評価された割合を示す第１の支援内容見直し度を算出する第１の支援内容見直し度算出手段，
特定のケアマネージャーが作成した一または複数の評価シートを表すデータを用いて，上記複数の支援内容項目のそれぞれについて，支援内容の見直しが必要であると評価された割合を示す第２の支援内容見直し度を算出する第２の支援内容見直し度算出手段，
上記複数の支援内容項目のそれぞれについて，上記第１の支援内容見直し度算出手段によって算出された第１の支援内容見直し度と上記第２の支援内容見直し度算出手段によって算出された第２の支援内容見直し度を比較する比較手段，および
上記比較手段によって上記第２の支援内容見直し度が上記第１の支援内容見直し度よりも高いと判定された一または複数の支援内容項目を提示するアドバイス情報提示手段を備えている，
アセスメント／モニタリング業務支援装置。
【手続補正２】
【補正対象書類名】図面
【補正対象項目名】図１
【補正方法】変更
【補正の内容】
【図１】
2020046847.tif 000029